(57)【要約】  本発明は１つの空気配管系（２）を介して高温空気が供給される高温バッテリー（５）ないし１つの空気配管系（２）を介して高温空気が供給される高温電解槽（５）の温度調節のための調節システム（１）に関し、この調節システム（１）は前記空気配管系（２）の相異なる２箇所（０１、０２）で温度を測定すべく構成された少なくとも２つの温度センサー（１０、１１）と、前記高温バッテリー（５）ないし前記高温電解槽（５）の上流側で前記空気配管系（２）に接続され前記空気を物理的にコンディショニングするための少なくとも１つの第１コンディショニングユニット（２０）と、前記高温バッテリー（５）ないし前記高温電解槽（５）から排出された高温空気を前記空気配管系（２）の、前記高温バッテリー（５）ないし前記高温電解槽（５）の上流側に配置された１箇所に還流してこの空気配管系（２）に再び供給する１つの還流配管（３０）とを有し、前記調節システム（１）が前記複数の温度センサー（１０、１１）により測定された複数の温度に拠って前記第１コンディショニングユニット（２０）を調節する。【選択図】図２
2015528176.tif 000002
【特許請求の範囲】
【請求項１】
１つの空気配管系（２）を介して高温空気が供給される高温バッテリー（５）ないし１つの空気配管系（２）を介して高温空気が供給される高温電解槽（５）の温度調節のための調節システム（１）であって、前記空気配管系（２）の相異なる２箇所（０１、０２）で温度を測定すべく構成された少なくとも２つの温度センサー（１０、１１）と、前記高温バッテリー（５）ないし前記高温電解槽（５）の上流側で前記空気配管系（２）に接続され前記空気を物理的にコンディショニングするための少なくとも１つの第１コンディショニングユニット（２０）と、前記高温バッテリー（５）ないし前記高温電解槽（５）から排出された高温空気を前記空気配管系（２）の、前記高温バッテリー（５）ないし前記高温電解槽（５）の上流側に配置された１つの箇所に還流してこの空気配管系（２）に再び供給する１つの還流配管（３０）とを有する調節システム（１）において、前記調節システム（１）が前記複数の温度センサー（１０、１１）により測定された複数の温度に基づいて前記第１コンディショニングユニット（２０）を調節する調節システム。
【請求項２】
前記調節システム（１）がさらに前記還流配管（３０）に接続された第２コンディショニングユニット（２１）を有し、この第２コンディショニングユニット（２１）は流れ発生器として構成され、この還流配管（３０）の中の高温空気を流れによって付勢するのに適しており、前記調節システム（１）がさらにこの第２コンディショニングユニット（２１）を前記複数の温度センサー（１０、１１）により測定された前記複数の温度に拠って調節することを特徴とする請求項１に記載の調節システム。
【請求項３】
１つの第１温度センサー（１０）が前記空気配管系（２）の、前記高温バッテリー（５）ないし前記高温電解槽（５）の上流側でその前方の第１箇所（０１）に配置され、他の１つの第２温度センサー（１１）が前記空気配管系（２）の、前記高温バッテリー（５）ないし前記高温電解槽（５）の下流側でその後方の第２箇所（０２）に配置されていることを特徴とする前記複数の先行請求項の１つに記載の調節システム。
【請求項４】
１つの第１温度センサー（１０）が前記空気配管系（２）の、前記高温バッテリー（５）ないし前記高温電解槽（５）の上流側でその前方の第１箇所（０１）に配置され、他の１つの第２温度センサー（１１）が前記高温バッテリー（５）ないし前記高温電解槽（５）の内部に配置されていることを特徴とする前記複数の先行請求項の１つに記載の調節システム。
【請求項５】
少なくとも３つの温度センサー（１０、１１、１２）が配置され、第１温度センサー（１０）は前記空気配管系（２）の、前記高温バッテリー（５）ないし前記高温電解槽（５）の上流側でその前方の第１箇所（０１）に配置され、第２温度センサー（１１）は前記空気配管系（２）の、前記高温バッテリー（５）ないし前記高温電解槽（５）の下流側でその後方の第２箇所（０２）に配置され、第３温度センサー（１２）は前記高温バッテリー（５）ないし前記高温電解槽（５）の内部に配置されていることを特徴とする前記複数の先行請求項の１つに記載の調節システム。
【請求項６】
前記第１コンディショニングユニット（２０）が、前記空気配管系（２）の中の前記空気に熱を供給するのに適した加熱装置として構成されていることを特徴とする前記複数の先行請求項の１つに記載の調節システム。
【請求項７】
前記第１コンディショニングユニット（２０）が、前記空気配管系（２）の中の前記空気に流れを付勢するための流れ発生器として構成されていることを特徴とする前記複数の先行請求項の１つに記載の調節システム。
【請求項８】
前記調節システム（１）が、前記高温バッテリー（５）ないし前記高温電解槽（５）の上流側で前記空気配管系（２）に接続された少なくとも２つのコンディショニングユニット（２０、２１）を有し、１つのコンディショニングユニット（２０）は前記空気配管系の中の空気に熱を供給するのに適した加熱装置として構成され、また、１つのコンディショニングユニット（２０）は空気配管系の中の空気に流れを付勢するのに適した流れ発生器として構成されており、この調節システム（１）が複数の温度センサー（１０、１１）により得られた温度差に拠って両方のコンディショニングユニット（２０、２１）を調節することを特徴とする前記複数の先行請求項の１つに記載の調節システム。
【請求項９】
前記２つのコンディショニングユニット（２０、２１）が１つの構造部品として形成され、特にこの構造部品において１つの直列接続構成となるようにすることを特徴とする請求項８に記載の調節システム。
【請求項１０】
前記調節システム（１）がさらに第２還流配管（３１）を有し、この第２還流配管（３１）は前記高温バッテリー（５）ないし前記高温電解槽（５）から排出された高温空気を、前記空気配管系（２）の、前記高温バッテリー（５）ないし前記高温電解槽（５）の上流側に配置された１つの箇所に還流することを特徴とする前記複数の先行請求項の１つに記載の調節システム（１）。
【請求項１１】
前記第２還流配管（３１）が前記高温バッテリー（５）ないし前記高温電解槽（５）から排出された前記高温空気を１つの熱交換器（３５）に導き、この熱交換器（３５）は、この高温空気が前記高温バッテリー（５）ないし前記高温電解槽（５）に供給される前に、前記空気配管系（２）内の前記高温空気を加熱すべく構成されていることを特徴とする請求項１０に記載の調節システム。
【請求項１２】
前記熱交換器（３５）が前記第１コンディショニングユニット（２０）の上流側で前記空気配管系（２）に接続されていることを特徴とする請求項１０または１１に記載の調節システム。
【発明の詳細な説明】
【技術分野】
【０００１】
本発明は、１つの配管系を介して高温空気が供給される高温バッテリーないし１つの配管系を介して高温空気が供給される高温電解槽の温度調節のための調節システムに関する。
【背景技術】
【０００２】
高温バッテリーにも高温電解槽にも、適切な作動温度を与えるために、十分な熱が供給されなければならない。例えば、或る高温バッテリーでは、特許文献１に記載されているように、効率的な運転を保証する為には、バッテリーセルを少なくとも７００℃の温度レベルにまで加熱することが必要である。同様に、高温電解槽にも、効率的な電気化学的なガス分解を進捗する為には、例えば特許文献２に記載されているように、熱を供給する必要がある。両装置の効率は、例えばこれら装置内において必要なイオン流動を決定する作動温度により著しい影響を受ける。
【０００３】
この場合、必要な熱は少なくとも部分的に、高温バッテリーないし高温電解槽に供給される高温空気流により供給される。この高温空気の温度レベルは、高温バッテリーないし高温電解槽の作動温度レベルに達する必要はないが、本質的な熱寄与を達成することができるようにするために、十分に高い必要がある。ここで高温空気とは、周囲温度レベルを超える温度レベルを有する熱的にコンディショニングされた空気を意味する。
【０００４】
本発明においては、高温バッテリーないし高温電解槽の作動温度は少なくとも３００℃、好ましくは少なくとも６５０℃である。特に、これらの温度は、少なくとも部分的に固体電解質燃料電池（ＳＯＦＣ）ベースで作動する高温バッテリーまたは高温電解槽を目的どおりに運転するに十分な高さでなければならない。この場合、通常は少なくとも６５０℃の温度が必要である。
【０００５】
同様な作動条件が、固体電解質燃料電池（ＳＯＦＣ）として構成された高温燃料電池の技術分野で知られている。例えば特許文献３に記載されているように、この種の高温燃料電池に１つの空気配管系を用いて、加熱された空気が供給される。ここでは、この加熱は、高温燃料電池に供給された空気が１つの熱交換器と１つの適切な加熱装置とによってコンディショニングされるように行われる。この熱交換器から空気に放出されたエネルギは部分的に、消費された空気を高温燃料電池から排出して熱交換器に導く還流配管から取り出される。こうして、高温燃料電池から排出された高温空気の量に応じて、多量のあるいは少量の熱を熱交換器によって高温燃料電池の熱循環路に再び供給することができ、これによって総合熱損失を小さく保つことができる。さらに、再循環を高めることによって、燃料電池上で生じる温度勾配を減少することができる。空気流に与えられた熱エネルギの総量の調節は、最終的に高温燃料電池に十分な総熱量を供給できるようにするために、付加的な外部の熱入力を決める調節システムにより行われる。
【０００６】
しかし、高温燃料電池とは異なって、高温バッテリーないし高温電解槽の運転は通常は、異なり、且つ、時間的に変化する負荷状態と作動状態のもとで行われるので、高温バッテリーないし高温電解槽に時間的に変化する熱エネルギを供給することが不可欠である。高温電解槽において電気エネルギを吸収するプロセスステップは通常は吸熱性であり、このことから熱供給が必要となる。これとは逆に化学的エネルギを放出するプロセスステップは通常は発熱性である。高温電解槽の運転が、両方の運転態様が交互に実施されるように行われる場合には、変化する熱供給が必要になる。同様に高温バッテリーも２つの異なる作動状態、すなわち、電気エネルギを吸収する吸熱性の充電状態と電気エネルギを放出する放熱性の放電状態、で運転することができる。これにより、ここでも、両方の作動状態が交互に選択される場合には、変化する熱供給が必要である。
【０００７】
さらに、高温バッテリーないし高温電解槽は、再生可能で変動するエネルギ源（風力エネルギ、太陽エネルギ）からの余剰エネルギを吸収するために設置することができる。このことから吸収されるべき出力の絶え間ない変化が生じ、これが作動状態の変化をも惹き起こす。
【０００８】
しかし、異なる運転状態では一般に、空気供給における互いに異なる質量流量が必要となる。このことから、高温バッテリーないし高温電解槽の運転は、一般的に唯一の特定された作動状態しか持たない高温燃料電池の運転とは原理的に異なる。
【０００９】
高温バッテリーないし高温電解槽に時間的に変化する空気の質量流量を供給しなければならない場合には、特許文献３に記載されているような熱的なコンディショニングは、十分に効果的には運転できないことが分かった。すなわち、そのような状況では、外部熱源による多量の熱エネルギの供給によってのみ満たすことができる多量の熱を空気流に供給する必要がある。この場合、還流配管からの熱の注入だけでは熱的に十分に有利ではないことが分かった。さらに、多量の空気流を急速に加熱するためには、その調節速度が不十分であることが分かった。
【先行技術文献】
【特許文献】
【００１０】
【特許文献１】独国特許出願公開第１０２００９０５７７２０．３号明細書
【特許文献２】欧州特許出願公開第１２１６３５８８号明細書
【特許文献３】米国特許出願公開第２００４／００１３９１３Ａ１号明細書
【発明の概要】
【発明が解決しようとする課題】
【００１１】
そこで本発明の課題は、１つの配管系を介して高温空気が供給される高温バッテリーないし１つの空気配管系を介して高温空気が供給される高温電解槽の温度調節のための調節システムであって、従来技術の諸欠点を回避する調節システムを提案することにある。特に、空気供給における質量流量が変化する場合にもエネルギ効率の良い運転が可能でなければならない。さらに、高温バッテリーないし高温電解槽への時間的に変化する質量流量の供給が可能でなければならず、その際に、この質量流量の熱コンディショニングは相対的にエネルギ効率よく行われなければならない。
【課題を解決するための手段】
【００１２】
本発明のこれらの課題は請求項１による調節システムにより達成される。
【００１３】
本発明のこれらの課題は特に、１つの空気配管系を介して高温空気が供給される高温バッテリーないし１つの空気配管系を介して高温空気が供給される高温電解槽の温度調節のための調節システムであって、以下に述べる調節システムにより解決される。すなわち、この調節システムは、前記空気配管系の相異なる２箇所で温度を測定すべく構成された少なくとも２つの温度センサーと、前記高温バッテリーないし前記高温電解槽の上流側で前記空気配管系に接続され前記空気を物理的にコンディショニングするための少なくとも１つの第１コンディショニングユニットと、前記高温バッテリーないし前記高温電解槽から排出された高温空気を前記空気配管系の、前記高温バッテリーないし前記高温電解槽の上流側に配置された１つの箇所に還流してこの空気配管系に再び供給する１つの還流配管とを有し、前記調節システムが前記複数の温度センサーにより測定された複数の温度に拠って前記第１コンディショニングユニットを調節する。
【００１４】
ここで留意すべきは、本発明によればこの空気配管系は空気供給管ならびに空気排出管の全ての部分を含むことである。この空気配管系はさらに、高温バッテリー内部ないし高温電解槽内部の高温空気搬送管に適した複数の部分を含む。
【００１５】
したがって、請求項１による本発明の調節システムは、高温バッテリーないし高温電解槽から排出された高温空気の少なくとも一部が空気配管系に還流され、そして再び供給され、この供給が高温バッテリーないし高温電解槽の上流側に配置された１つの箇所において行われるように構成されている。したがって、高温バッテリーないし高温電解槽に供給される空気流には、熱エネルギだけでなく、温度がコンディショニングされた高温空気も与えられる。これによって、この空気流はその熱含有量だけでなく、その質量流量も変化する。
【００１６】
同時にこの空気流はその化学組成も変わることがある。というのは、高温バッテリーないし高温電解槽から排出された高温空気はその組成についても、すなわち、その個別の分圧についても変化しうるからである。そこで、例えば、高温バッテリーないし高温電解槽から排出された高温空気中の酸素が多くなったり、時には少なくもなる可能性がある。再循環された高温空気を例えば新鮮空気と混合することによって、高温バッテリーないし高温電解槽に再び供給された空気中の酸素含有量を調整することができる。しかし、これによって、高温バッテリーないし高温電解槽での電気化学プロセスの効率が、濃度依存性があるので、影響を受けることがある
【００１７】
本発明による調節システムはさらに、複数の温度センサーで測定された複数の温度に拠って調節される少なくとも１つのコンディショニングユニットを備えている。ここでこのコンディショニングユニットは、空気流をその熱含有量についてのみ、あるいは、その質量流量についてもコンディショニングするのに適している。同様に、熱含有量と質量流量を同時にコンディショニングすることも可能である。これら複数の温度センサーは空気配管系の相異なる複数の箇所で空気温度を測定するので、両方の温度を比較することによってこのコンディショニングユニットの適切な運転変更を行うことができる。こうして、運転変更が、得られた温度差への反応として、この調節システムにより発動される。
【００１８】
高温バッテリーが例えば充電状態で運転される場合には一般的に、先ずは第１に充電状態を可能とするために、高温度レベルの空気の供給を増加する必要がある。高温バッテリー中で熱エネルギが消費されるので、この高温バッテリーから排出される高温空気流は、この高温バッテリーに流入する空気流よりも低い温度レベルを有する。しかし、放電状態中は挙動が異なる。放電状態中は高温バッテリー自身が熱を発生し、この熱を空気流に伝達し、この熱は高温空気流によって高温バッテリーから排出される。
【００１９】
放電状態中には高温バッテリーへの供給は、供給される空気流による少ない熱注入で済む。しかし、高温バッテリーが放電状態から充電状態に切り替えられる時には、高温バッテリー内に存在する熱は引き続き高温空気流により適切にこれから排出され、続いて行われる供給後に再度この空気配管系に注入される。この場合、時々、空気の質量流量の変更が必要である。
【００２０】
本発明によれば、充電状態の初期にこの空気流を、熱的にも質量流量に関しても、高温バッテリーから排出された高温空気によって有利にコンディショニングすることができる。この場合、高温空気により高温バッテリーから排出された熱は充電状態の進行につれて減少して行く。この熱量が減少する範囲内で、高温バッテリーに供給される高温空気流を、可変の熱供給によって熱的にコンディショニングすることができる。しかし、同時に、必要な場合には質量流量のコンディショニングも可能である。
【００２１】
高温バッテリーに、異なる作動状態において異なる熱含有量の空気流ならびに異なる質量流量の空気流も供給しなければならないのと同様に、高温電解槽にも異なる作動状態において異なる熱量ならびに異なる質量流量の空気を供給しなければならない。
【００２２】
こうして例えば先に述べた従来技術から知られている高温電解槽の実施形態のように、この種の高温電解槽を複数の異なる作動状態で運転することができる。この場合、或る作動状態では、相対的に強化された熱エネルギの供給と、適合され変更された質量流量の供給が必要となる。
【００２３】
しかし、特にこのような切り替え状態では、すなわち、変更中の作動状態では、一般的に、温度レベルと質量流量の変更が不可欠である。したがって、質量流量の有利なコンディショニングの場合にも、空気流の効率の良い熱的なコンディショニングを同時に達成するために、本発明による調節システムを使用すると有利である。
【００２４】
本発明の有利な１実施形態によれば、第１コンディショニングユニットを、得られた温度差に拠って調節することもできる。すなわち、この場合には、この調節システムは調節値として２つの異なる温度を処理するのではなく、ただ１つの調節値、すなわち、温度差をシステム調節のために使用することができる。この場合、この温度差は１つの電子的な比較回路により有利に得ることができる。
【００２５】
他の有利な実施形態によれば、この調節システムは還流配管に接続された第２コンディショニングユニットを有し、この第２コンディショニングユニットは流れ発生器として構成されており、この還流配管の中の高温空気を流れによって付勢するのに適しており、この調節システムは、さらに、この第２コンディショニングユニットを複数の温度センサーにより測定された複数の温度に拠って調節する。この還流配管に接続された第２コンディショニングユニットにより、熱エネルギの還流と同時に質量流量の変更も可能となる。これによれば、特に、空気流の熱含有量と質量流量の変更が必要になる場合に、第２コンディショニングユニットの適切な調整によって、目的に合うように対応することができる。例えば、高温バッテリーないし高温電解槽に、より高い熱量と共に同時により多量の質量流量を供給しなければならない場合に、これをこの還流配管における増大された高温空気流により達成することができる。
【００２６】
１つの実施形態によれば、この第２コンディショニングユニットはインジェクターおよび／またはエジェクターとして、特にガス噴射ポンプとして実施することができ、あるいは他の実施形態ではコンプレッサーポンプとして実施することができる。さらに、この第２コンディショニングユニットを、測定された複数の個々の温度値ではなく、１つの温度差によって調節することも可能である。
【００２７】
この実施形態の別の展開により、この還流配管は、還流配管における質量流量の的確な変更を可能にする複数の適切な調整装置を備えることができる。これらの調整装置は例えば弁として実施することができる。
【００２８】
本発明のさらに別の実施形態によれば、１つの第１温度センサーが空気配管系の、高温バッテリーないし高温電解槽の上流側でその前方の第１箇所に配置され、他の１つの第２温度センサーが空気配管系の、高温バッテリーないし高温電解槽の下流側でその後方の第２箇所に配置されている。したがってこの調節システムにより、これらの測定点の間に生じる温度フィールドに基づいて、上流側に設けられている複数のコンディショニングユニットの適切な調節が可能となる。同様に、この還流配管に接続されている１つのコンディショニングユニットを適切に調節することも可能である。この場合、高温バッテリーないし高温電解槽の前方と後方の温度測定により、高温バッテリーないし高温電解槽の内部における温度分布についてのそれ以上の知見は不要であり、その結果、特に簡単な調節が可能となる。
【００２９】
他の実施形態では事情が異なる。この場合には、第１温度センサーは空気配管系の、高温バッテリーないし高温電解槽の上流側でその前方の第１箇所に配置され、もう１つの第２温度センサーは高温バッテリーないし高温電解槽の内部に配置されている。高温バッテリーないし高温電解槽の内部で測定された複数の温度に基づくこの調節は、これらの装置内部でのプロセスについてのさらなる知見を必要とするが、しばしば、この知見によってこれらのコンディショニングユニットの的確な、ないしは、時間的により速い調節を行なうことができる。これによって特に、高温バッテリーないし高温電解槽の内部において運転変更中に変化する温度状況をより良好に考慮に入れることができる。
【００３０】
本発明のさらに別の実施形態によれば、少なくとも３つの温度センサーが配置され、第１温度センサーは空気配管系の、高温バッテリーないし高温電解槽の上流側でその前方の第１箇所に配置され、第２温度センサーは空気配管系の、高温バッテリーないし高温電解槽の下流側でその後方の第２箇所に配置され、第３温度センサーは高温バッテリーないし高温電解槽の内部に配置されている。したがって、この調節システムには少なくとも３つの温度値が提供され、これにより、複数のコンディショニングユニットの有利で、且つ、運転状態に適切に対応した調節が可能となる。特に、運転状態が変更される時には、空気配管系の複数の異なる温度値の知見により、進行中のプロセスの詳細な知見を得ることが可能になり、これによって、複数のコンディショニングユニットの有利な調節が可能となる。
【００３１】
本発明のさらに別の実施形態によれば、第１コンディショニングユニットが、空気配管系の中の高温空気に熱を供給するのに適した加熱装置として構成されている。調節状態に応じて、この調節システムはこの空気配管系の中の空気流に、より多い、または、より少ない熱を与える。
【００３２】
別の実施形態によれば、この第１コンディショニングユニットを、この空気配管系の中の空気に流れを付勢するための流れ発生器として構成することもできる。流れへの付勢は、特に、可変に行われる。こうして、例えば質量流量を高める要求に対しては、この流れ発生器は、空気流がより強く付勢されるように調節される。ここで指摘すべきは、流れを付勢する時には、空気は熱的なコンディショニングを受ける必要がないことである。すなわち、この実施形態では、空気配管系に導入される新鮮空気に流れを付勢するだけで十分であり、その後で熱的なコンディショニングが行われる。
【００３３】
この流れ発生器を用いて、この空気配管系の中の空気の酸素含有量を有利な方法で調整することもできる。例えば、再循環された高温空気に対する新鮮空気の量あるいは割合を変えることができる。すなわち、高温バッテリーないし高温電解槽から排出される高温空気中の酸素が時折、多くなったり、少なくなったりするので、再循環された高温空気と新鮮空気とを混合することにより、高温バッテリーないし高温電解槽に再び供給される空気の酸素含有量を調整することができる。しかし、これによって、高温バッテリーないし高温電解槽における電気化学プロセスの効率も影響を受ける。例えば、高温バッテリーの放電状態では、より多い酸素含有量は時間的により速い放電を生じさせ、その結果、例えば、より高いエネルギ密度を提供することができる。
【００３４】
本発明の特に有利な他の実施形態では、この調節システムは、高温バッテリーないし高温電解槽の上流側で空気配管系に接続された少なくとも２つのコンディショニングユニットを有するように構成されている。この場合、１つのコンディショニングユニットは、空気配管系の中の空気に熱を供給するのに適した加熱装置として構成され、また、１つのコンディショニングユニットは、空気配管系の中の空気に流れを付勢するのに適した流れ発生器として構成されており、この調節システムは、複数の温度センサーにより得られた温度差に拠って両方のコンディショニングユニットを調節する。代案として、複数の温度センサーにより得られた温度差に拠って一方の調節も実施可能である。したがって、本発明により、この調節システムによって、空気配管系内の質量流量の調整と、これとは独立した高温空気の熱含有量のコンディショニングとを、同時に行うことが可能となる。こうして、両方の物理的パラメータを適切に、且つ、互いに相対的に独立して調整することができる。これにより、高温バッテリーないし高温電解槽のそれぞれの運転変更に対してより速く対応することができる。さらに、第１コンディショニングユニットと第２コンディショニングユニットの調節をエネルギが最適化されるように行うことが可能である。この場合、例えば、さらなる制御量として、得られた複数の温度値という制御量に加えて、第１コンディショニングユニットと第２コンディショニングユニットの時間的なエネルギ消費量をこの調節システムで考慮することができる。
【００３５】
この実施形態の展開として、これらの２つのコンディショニングユニットを１つの構造部品として形成し、特に、この構造部品において１つの直列接続となるように構成することができる。これにより製造コストが大幅に低減される。
【００３６】
本発明の他の実施形態によれば、この調節システムがさらに第２還流配管を有するように構成されており、この第２還流配管は高温バッテリーないし高温電解槽から排出された高温空気を、空気配管系の、高温バッテリーないし高温電解槽の上流側に配置された１つの箇所に還流する。ここで、この第２還流配管は高温バッテリーないし高温電解槽から単独に引出すことができるし、あるいは、第１還流配管または空気配管系から分岐配管として分岐することもできる。この第２還流配管は第１還流配管と同じ箇所で空気配管系に合流することができ、第２還流配管の中を案内される空気流を空気配管系に供給することができる。この場合、第２還流配管により、運転状態変更への対応時のフレキシビリティに関してより改善された構成が可能となる。この第２還流配管が、第１還流配管が空気配管系に合流する第１箇所とは異なる箇所で空気配管系に合流すると、このフレキシビリティは特に改善される。これにより、この空気配管系には、複数の異なる箇所に、異なる熱エネルギ量と高温空気とを供給することができる。
【００３７】
この観点での別の実施形態では、この第２還流配管が、高温バッテリーないし高温電解槽から排出される高温空気を１つの熱交換器に導くように構成されており、この熱交換器はこの空気流が高温バッテリーないし高温電解槽に供給される前に、空気配管系におけるこの空気流を加熱すべく構成されている。したがって、空気配管系の中の高温空気のコンディショニングは単に熱的にのみ行われ、空気配管系における高温空気の質量流量には同時には影響を及ぼさない。これにより、異なる運転条件下におけるフレキシビリティと調節の多様性とがさらに向上する。
【００３８】
この実施形態の別の展開によれば、この熱交換器は第１コンディショニングユニットの上流側で空気配管系に接続されている。この第１コンディショニングユニットが加熱装置として構成されている場合には特に、空気配管系におけるエネルギ効率の良い熱的コンディショニングを行うことができる。というのは、熱交換器が提供できない熱量差だけをこの第１コンディショニングユニットによって供給すればよいからである。
【００３９】
以下に本発明を個別の実施形態を基に詳細に説明する。しかし、請求項に記載した本発明の普遍性が減縮されるものではない。
【００４０】
以下に述べる諸実施形態における個々の特徴について、それら単独でも、また、ここに記載された諸特徴との組み合わせにおいても、権利を請求するものである。特に、これらの個々の特徴のそれぞれの組み合わせについてここに権利請求する。
【００４１】
さらに、図に示された諸実施形態は単に模式的なものであり、本発明の実現を妨げるものではないことを付言しておく。当業者であれば、その一般的な専門知識を基に本開示事項により実現することができる。
【図面の簡単な説明】
【００４２】
【図１】ここでは請求項に記載しない調節システムの１実施形態を示す図。
【図２】本発明による調節システムの第１実施形態の模式的接続図。
【図３】本発明の他の実施形態の模式的接続図。
【図４】本発明の他の実施形態の模式的接続図。
【発明を実施するための形態】
【００４３】
図１はここでは請求項には記載しない調節システム１の１実施形態を示す。ここで、この調節システム１は高温バッテリー５ないし高温電解槽５に高温空気を供給するための１つの空気配管系２を有する。この空気配管系２の中の空気をコンディショニングするために、１つの第１コンディショニングユニット２０、１つの熱交換器３５および１つの第３コンディショニングユニット２２が設けられている。第１コンディショニングユニット２０はここでは、空気配管系２の中の空気を熱的にコンディショニングするための加熱装置として形成されている。第１コンディショニングユニット２０の上流側に熱交換器３５が設けられ、これは同様に、空気配管系２内にある空気を熱的にコンディショニングするために形成されている。熱交換器３５は、高温バッテリー５ないし高温電解槽５から排出された高温空気流から熱エネルギを吸収し、この熱エネルギを高温バッテリー５ないし高温電解槽５に供給される空気流に伝達するために設けられている。この場合、熱交換器３５は、空気配管系２の中の高温空気流の質量流量を変化させずに、熱的なコンディショニングだけを可能とする。
【００４４】
さらに、熱交換器３５の上流側に、流れ発生器として形成された第３のコンディショニングユニット２２が配置されている。この流れ発生器２２はこの空気配管系の中の空気に流れを付勢し、したがって、質量流量の変化を可能にする。空気配管系２の中の空気流の適切なコンディショニングを達成するために、１つの調節ユニット３が第１コンディショニングユニット２０および第３コンディショニングユニット２２の運転状態を調節する。ここで、この調節は第１温度センサー１０および第２温度センサー１１で測定された温度値に拠って行われる。これらの温度値の測定は、高温バッテリーないし高温電解槽５の前の第１箇所０１および高温バッテリーないし高温電解槽の後の第２箇所０２でそれぞれ行われる。
【００４５】
図２は本発明による調節システムの第１実施形態を示す。この調節システム１は同様に、高温バッテリー５ないし高温電解槽５に１つの空気配管系２を介して高温空気を供給することを可能とする。しかし、図１に示された実施形態と比べると、高温バッテリー５ないし高温電解槽５から排出される高温空気は、熱的コンディショニングのために熱交換器に還流されるのではなく、空気配管系２への還流後、全量がこの空気配管系に供給される。この場合、空気配管系２内の空気流の熱含有量も質量流量もコンディショニングされる。
【００４６】
この還流は第１還流配管３０を介して行われ、この第１還流配管は第２コンディショニングユニット２１と接続されている。この第２コンディショニングユニット２１は流れ発生器として形成されており、この流れ発生器が第１還流配管内の還流された高温空気の流量を決める。この流れ発生器２１は運転状態に応じて、より多量の、あるいは、より少量の高温空気流をこの還流配管３０により再循環することができる。こうして、高温バッテリー５ないし高温電解槽５に供給された高温空気の量を、熱含有量も質量流量も、時間的にコンディショニングすることができる。高温バッテリー５ないし高温電解槽５から排出される高温空気が還流した後、この高温空気は空気配管系２内で他の空気と混合される。この場合、他の空気は例えば、新鮮空気でもよいし、既にコンディショニングされた空気でもよい。
【００４７】
高温バッテリー５ないし高温電解槽５に供給される空気流を付加的にさらに熱的にコンディショニングできるようにするために、さらに１つの第１コンディショニングユニット２０が設けられ、この第１コンディショニングユニット２０は空気配管系２の中の空気流を加熱装置として熱的にコンディショニングする。
【００４８】
第１コンディショニングユニット２０も第２コンディショニングユニット２１および第３コンディショニングユニット２２と同じく１つの調節ユニット３によって操作され、この調節ユニットは調節値として第１温度センサー１０と第２温度センサー１１の測定値を使用する。第１温度センサー１０により、高温バッテリー５ないし高温電解槽５の上流側の第１箇所０１の高温空気の温度が測定される。第２温度センサー１１は、高温バッテリー５ないし高温電解槽５の下流側の第２箇所０２の温度を測定するように構成されている。
【００４９】
高温バッテリー５ないし高温電解槽５から排出された高温空気の、高温バッテリー５ないし高温電解槽５の上流側の空気配管系２への還流を調節することによって、エネルギ効率がよく、同時に、高温バッテリー５ないし高温電解槽５の運転状態の変更時における諸要求事項に関しても有利な高温空気の再循環を行うことができる。特に、質量流量と熱含有量とを同時に変化させることが求められる運転状態変更時に、高温バッテリー５ないし高温電解槽５に供給された空気流をこうして有利にコンディショニングすることができる。
【００５０】
図３は本発明の他の実施形態を示す。これが図２に示された実施形態と異なるのは単に、調節ユニット３が３つの温度センサー１０、１１、１２を有し、これらが空気配管系２の複数の異なった箇所で温度測定を行うことにある。この場合、図２の実施形態と同様に、高温バッテリー５ないし高温電解槽５の上流側の１つの箇所０１で第１温度センサー１０により温度が測定される。これに加えて、高温バッテリー５ないし高温電解槽５の下流側の第２箇所０２で第２の温度が第２温度センサー１１により測定される。さらにこれに加えて、第３の温度センサー１２によって第３箇所０３で温度が測定される。この第３箇所は高温バッテリー５ないし高温電解槽５内に配置されている。この場合、この第３箇所は、この実施形態で行われているように、空気配管系２内に配置することができる。しかし、基本的には、空気配管系２の外部の、高温バッテリー５ないし高温電解槽５の他の箇所で温度測定することも可能である。
【００５１】
図４は本発明の他の実施形態を示す。これが図２に示された実施形態と異なるのは単に、第２還流配管３１が設けられていることにある。この第２還流配管３１は第１還流配管３０の分岐管として構成されている。この第２還流配管３１は還流された高温空気の或る決められた割合を、この空気配管系において第１コンディショニングユニット２０と第３コンディショニングユニット２２との間に接続された熱交換器３５に供給する。この熱交換器３５はこの空気配管系２の中の空気を熱的にコンディショニングするのに適している。すなわち、第１還流配管３０が空気配管系２に供給された空気流の熱的なコンディショニングと共に、質量流量のコンディショニングも可能としているのに対し、この第２還流配管３１は単に熱的なコンディショニングだけを可能とする。この実施形態では、第１還流配管３０にも、第２還流配管３１にも、複数の適切な調整装置、例えば、複数の弁、を備えることが可能である。同様に、第２還流配管３１にもう１つの第４のコンディショニングユニット（ここでは図示されていない）を接続することも可能である。この第４のコンディショニングユニットは流れ発生器として構成することができる。
【００５２】
他の複数の実施形態が従属請求項に示されている。
【符号の説明】
【００５３】
１      調節システム
２      空気配管系
３      調節ユニット
５      高温バッテリーないし高温電解槽
０１    第１箇所
０２    第２箇所
１０    第１温度センサー
１１    第２温度センサー
１２    第３温度センサー
２０    第１コンディショニングユニット
２１    第２コンディショニングユニット
２２    第３コンディショニングユニット
３０    第１還流配管
３１    第２還流配管
３５    熱交換器
【図１】
2015528176.tif 000003
【図２】
2015528176.tif 000004
【図３】
2015528176.tif 000005
【図４】
2015528176.tif 000006
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
１つの空気配管系（２）を介して高温空気が供給される高温バッテリー（５）ないし１つの空気配管系（２）を介して高温空気が供給される高温電解槽（５）の温度調節のための調節システム（１）であって、前記空気配管系（２）の相異なる２箇所（０１、０２）で温度を測定すべく構成された少なくとも２つの温度センサー（１０、１１）と、前記高温バッテリー（５）ないし前記高温電解槽（５）の上流側で前記空気配管系（２）に接続され前記空気を物理的にコンディショニングするための少なくとも１つの第１コンディショニングユニット（２０）と、前記高温バッテリー（５）ないし前記高温電解槽（５）から排出された高温空気を前記空気配管系（２）の、前記高温バッテリー（５）ないし前記高温電解槽（５）の上流側に配置された１つの箇所に還流してこの空気配管系（２）に再び供給する１つの還流配管（３０）とを有する調節システム（１）において、前記調節システム（１）が前記複数の温度センサー（１０、１１）により測定された複数の温度に基づいて前記第１コンディショニングユニット（２０）を調節する調節システム。
【請求項２】
前記調節システム（１）がさらに前記還流配管（３０）に接続された第２コンディショニングユニット（２１）を有し、この第２コンディショニングユニット（２１）は流れ発生器として構成され、この還流配管（３０）の中の高温空気を流れによって付勢するのに適しており、前記調節システム（１）がさらにこの第２コンディショニングユニット（２１）を前記複数の温度センサー（１０、１１）により測定された前記複数の温度に拠って調節することを特徴とする請求項１に記載の調節システム。
【請求項３】
１つの第１温度センサー（１０）が前記空気配管系（２）の、前記高温バッテリー（５）ないし前記高温電解槽（５）の上流側でその前方の第１箇所（０１）に配置され、他の１つの第２温度センサー（１１）が前記空気配管系（２）の、前記高温バッテリー（５）ないし前記高温電解槽（５）の下流側でその後方の第２箇所（０２）に配置されていることを特徴とする請求項１または２に記載の調節システム。
【請求項４】
１つの第１温度センサー（１０）が前記空気配管系（２）の、前記高温バッテリー（５）ないし前記高温電解槽（５）の上流側でその前方の第１箇所（０１）に配置され、他の１つの第２温度センサー（１１）が前記高温バッテリー（５）ないし前記高温電解槽（５）の内部に配置されていることを特徴とする請求項１または２に記載の調節システム。
【請求項５】
少なくとも３つの温度センサー（１０、１１、１２）が配置され、第１温度センサー（１０）は前記空気配管系（２）の、前記高温バッテリー（５）ないし前記高温電解槽（５）の上流側でその前方の第１箇所（０１）に配置され、第２温度センサー（１１）は前記空気配管系（２）の、前記高温バッテリー（５）ないし前記高温電解槽（５）の下流側でその後方の第２箇所（０２）に配置され、第３温度センサー（１２）は前記高温バッテリー（５）ないし前記高温電解槽（５）の内部に配置されていることを特徴とする請求項１または２に記載の調節システム。
【請求項６】
前記第１コンディショニングユニット（２０）が、前記空気配管系（２）の中の前記空気に熱を供給するのに適した加熱装置として構成されていることを特徴とする請求項１ないし５のいずれか１つに記載の調節システム。
【請求項７】
前記第１コンディショニングユニット（２０）が、前記空気配管系（２）の中の前記空気に流れを付勢するための流れ発生器として構成されていることを特徴とする請求項１ないし６のいずれか１つに記載の調節システム。
【請求項８】
前記調節システム（１）が、前記高温バッテリー（５）ないし前記高温電解槽（５）の上流側で前記空気配管系（２）に接続された少なくとも２つのコンディショニングユニット（２０、２１）を有し、１つのコンディショニングユニット（２０）は前記空気配管系の中の空気に熱を供給するのに適した加熱装置として構成され、また、１つのコンディショニングユニット（２１）は空気配管系の中の空気に流れを付勢するのに適した流れ発生器として構成されており、この調節システム（１）が複数の温度センサー（１０、１１）により得られた温度差に拠って前記２つのコンディショニングユニット（２０、２１）を調節することを特徴とする請求項１ないし６のいずれか１つに記載の調節システム。
【請求項９】
前記２つのコンディショニングユニット（２０、２１）が１つの構造部品として形成され、この構造部品において１つの直列接続構成となるようにすることを特徴とする請求項８に記載の調節システム。
【請求項１０】
前記調節システム（１）がさらに第２還流配管（３１）を有し、この第２還流配管（３１）は前記高温バッテリー（５）ないし前記高温電解槽（５）から排出された高温空気を、前記空気配管系（２）の、前記高温バッテリー（５）ないし前記高温電解槽（５）の上流側に配置された１つの箇所に還流することを特徴とする請求項１ないし９のいずれか１つに記載の調節システム（１）。
【請求項１１】
前記第２還流配管（３１）が前記高温バッテリー（５）ないし前記高温電解槽（５）から排出された前記高温空気を１つの熱交換器（３５）に導き、この熱交換器（３５）は、この高温空気が前記高温バッテリー（５）ないし前記高温電解槽（５）に供給される前に、前記空気配管系（２）内の前記高温空気を加熱すべく構成されていることを特徴とする請求項１０に記載の調節システム。
【請求項１２】
前記熱交換器（３５）が前記第１コンディショニングユニット（２０）の上流側で前記空気配管系（２）に接続されていることを特徴とする請求項１０または１１に記載の調節システム。
【国際調査報告】
2015528176.tif 000007
2015528176.tif 000008
2015528176.tif 000009
2015528176.tif 000010
2015528176.tif 000011
2015528176.tif 000012